(57)【要約】【課題】買い物後の荷物運搬時に、ポリ袋に本体を巻き付けて荷物の重さを軽減する、ポリ袋持ち具を提供する。【解決手段】全体を厚手のナイロン製にし、特にポリ袋の持ち手部分との接触面は内側を二重三重の生地とする。本体の両端部にマジックテープを付け接着する。形状を女性・お年寄・子供の手でも持ちやすい大きさにする。【選択図】  図２
0003105351.tif 000002
【実用新案登録請求の範囲】
【請求項１】
ポリ袋の持ち手部分との接触部分に二重三重の厚手の生地を設け、本体の接着部分にマジックテープを設け、ポリ袋の持ち手部分をくるむ様に三つ折にして装着し、買い物後の荷物の重さを軽減する事を特徴とするポリ袋持ち具。
【考案の詳細な説明】
【技術分野】
【０００１】  本考案は、ポリ袋の持ち手部分にナイロン製の持ち手を巻付けた、買い物後の荷物の重さを軽減する持ち具に関するものである。
【背景技術】
【０００２】  従来は、革製で接着部がボタンによる物や布製で生地が薄く形状が大き過ぎる持ち具があった。
【考案の開示】
【考案が解決しようとする課題】
【０００３】  そのために、つぎのような問題点があった。
（イ）革製で表面が硬いので大変持ちづらかった。
（ロ）接着部がボタンの為ポリ袋を持つと上面部（ボタンとボタンの間）が盛り上がり大変持ちづらかった。
（ハ）布製は生地が薄く荷物の重さが手に伝わりやすかった。
（ニ）形状が大きく、女性・お年寄・子供の手には合わなかった。
本考案は、これらの問題点を解決するためになされたものである。
【課題を解決するための手段】
【０００４】  全体を厚手のナイロン製にし、特にポリ袋の持ち手部分との接触面は内側を二重三重の生地とする。
本体の両端部にマジックテープを付け接着する。形状を女性・お年寄・子供の手でも持ちやすい大きさにする。
【考案の効果】
【０００５】  厚手のナイロン製にすることにより、荷物の重さによる変形が少なくなり手の平への負担が大幅に軽減され、長時間の移動も可能となる。形状を小さくすることにより、手で持つだけでなく女性がよく持つ持ち方（肘に掛ける）でも充分対応できる。
【考案を実施するための最良の形態】
【０００６】以下、本考案の実施の形態について説明する。
（イ）本体（１）の中央部内側（２）を二重三重のナイロン製生地とする。
（ロ）本体（１）の一方の端とその反対側の端にマジックテープ（３）を装着する。
本考案は以上のような構成で、これを使用するときは、本体（１）をポリ袋（４）の持ち手部分の下にくぐらせ、中央部内側（２）をポリ袋（４）の持ち手部分に当てながら包み込むようにして本体（１）を三つ折にし、マジックテープ（３）で接着させる。
中央部内側（２）を二重三重の生地にすることにより、荷物の重さで本体（１）が適度な変形をし手にフィット感を与える。
また図３に示すように、本体（１）を袋状にしその部分に携帯用カイロ（５）を挿入することで、冬季でも手が冷たくなるのを防ぐことができる。
その他、家電量販店等での購入品に対しても、家電量販店で提供されているプラスチック製の持ち手に本体（１）を装着することで、ポリ袋（４）への装着時と同様の効果が充分に得られる。
さらに図４に示すように、自転車の買い物籠（６）部分に本体（１）を装着する事により、ひったくり防止という防犯上の効果も充分に期待できる。
【図面の簡単な説明】
【０００７】
【図１】本考案の斜視図（外側）
【図２】本考案の斜視図（内側）
【図３】本考案の使用状態を示す斜視図
【図４】本考案の他の実施例を示す斜視図
【図５】本考案の他の実施例を示す斜視図
【符号の説明】
【０００８】      １  本体
２  中央部内側
３  マジックテープ
４  ポリ袋
５  携帯用カイロ
６  自転車用買い物籠
【図１】
0003105351.tif 000003
【図２】
0003105351.tif 000004
【図３】
0003105351.tif 000005
【図４】
0003105351.tif 000006
【図５】
0003105351.tif 000007
【手続補正書】
【提出日】平成16年5月22日(2004.5.22)
【手続補正１】
【補正対象書類名】実用新案登録請求の範囲
【補正対象項目名】全文
【補正方法】変更
【補正の内容】
【実用新案登録請求の範囲】
【請求項１】
ポリ袋の持ち手部分との接触部分に二重三重の厚手の生地を設け、本体の接着部分に面ファスナーを設け、ポリ袋の持ち手部分をくるむ様に三つ折にして装着し、買い物後の荷物の重さを軽減する事を特徴とするポリ袋持ち具。
【手続補正２】
【補正対象書類名】明細書
【補正対象項目名】全文
【補正方法】変更
【補正の内容】
【考案の詳細な説明】
【技術分野】
【０００１】  本考案は、ポリ袋の持ち手部分にナイロン製の持ち手を巻付けた、買い物後の荷物の重さを軽減する持ち具に関するものである。
【背景技術】
【０００２】  従来は、革製で接着部がボタンによる物や布製で生地が薄く形状が大き過ぎる持ち具があった。
【考案の開示】
【考案が解決しようとする課題】
【０００３】  そのために、つぎのような問題点があった。
（イ）革製で表面が硬いので大変持ちづらかった。
（ロ）接着部がボタンの為ポリ袋を持つと上面部（ボタンとボタンの間）が盛り上が          り大変持ちづらかった。
（ハ）布製は生地が薄く荷物の重さが手に伝わりやすかった。
（ニ）形状が大きく、女性・お年寄・子供の手には合わなかった。
本考案は、これらの問題点を解決するためになされたものである。
【課題を解決するための手段】
【０００４】  全体を厚手のナイロン製にし、特にポリ袋の持ち手部分との接触面は内側を二重三重の生地とする。
本体の両端部に面ファスナーを付け接着する。形状を女性・お年寄・子供の手でも持ちやすい大きさにする。
【考案の効果】
【０００５】  厚手のナイロン製にすることにより、荷物の重さによる変形が少なくなり手の平への負担が大幅に軽減され、長時間の移動も可能となる。形状を小さくすることにより、手で持つだけでなく女性がよく持つ持ち方（肘に掛ける）でも充分対応できる。
【考案を実施するための最良の形態】
【０００６】以下、本考案の実施の形態について説明する。
（イ）本体（１）の中央部内側（２）を二重三重のナイロン製生地とする。
（ロ）本体（１）の一方の端とその反対側の端に面ファスナー（３）を装着する。
本考案は以上のような構成で、これを使用するときは、本体（１）をポリ袋（４）の持ち手部分の下にくぐらせ、中央部内側（２）をポリ袋（４）の持ち手部分に当てながら包み込むようにして本体（１）を三つ折にし、面ファスナー（３）で接着させる。
中央部内側（２）を二重三重の生地にすることにより、荷物の重さで本体（１）が適度な変形をし手にフィット感を与える。
また図３に示すように、本体（１）を袋状にしその部分に携帯用カイロ（５）を挿入することで、冬季でも手が冷たくなるのを防ぐことができる。
その他、家電量販店等での購入品に対しても、家電量販店で提供されているプラスチック製の持ち手に本体（１）を装着することで、ポリ袋（４）への装着時と同様の効果が充分に得られる。
さらに図４に示すように、自転車の買い物籠（６）部分に本体（１）を装着する事により、ひったくり防止という防犯上の効果も充分に期待できる。
【図面の簡単な説明】
【０００７】
【図１】本考案の斜視図（外側）
【図２】本考案の斜視図（内側）
【図３】本考案の使用状態を示す斜視図
【図４】本考案の他の実施例を示す斜視図
【図５】本考案の他の実施例を示す斜視図
【符号の説明】
【０００８】    １  本体
２  中央部内側
３面ファスナー
４  ポリ袋
５  携帯用カイロ
６  自転車用買い物籠
【手続補正３】
【補正対象書類名】図面
【補正対象項目名】図１
【補正方法】変更
【補正の内容】
【図１】
0003105351.tif 000008